(57)【特許請求の範囲】
【請求項１】
運転モードを切り替える運転モード切替手段と、暖房出力を決定する出力決定手段と、前記出力決定手段が決定する暖房出力に基づき熱を発生させる熱発生手段と、室温を検知する室温検知手段を有し、前記運転モードには少なくとも通常運転モードと、他の暖房器具を併用して使用する際に選択する併用運転モードを備え、前記出力決定手段は前記通常運転モードでは室温と設定温度から室温を設定温度付近に維持するよう暖房出力を決定し、前記併用運転モードでは室温が設定温度もしくは設定温度より低い所定温度に到達すると暖房出力を低下させ、暖房出力が所定値に到達した後、前記熱発生手段を停止して暖房運転を停止することを特徴とする温風暖房装置。
【請求項２】
前記併用運転モードにおいて暖房運転を停止した際には、表示部に暖房運転が停止していることを表示するとともに、自動での暖房運転の再開を行わないことを特徴とする請求項１記載の温風暖房装置。
【請求項３】
前記出力決定手段は、前記併用運転モードにおいて室温が設定温度もしくは設定温度より低い所定温度に到達した際には暖房出力を段階的に低下させ、暖房出力の低下中に設定温度と室温の差が所定値以上となったときには、暖房出力を維持することを特徴とする請求項１または２記載の温風暖房装置。
【請求項４】
前記出力決定手段は、前記併用運転モードにおいて室温が設定温度もしくは設定温度より低い所定温度に到達した際には暖房出力を段階的に低下させ、暖房出力の低下中に設定温度と室温の差が第一所定値以上となったときには段階的に暖房出力を上昇させ、設定温度と室温の差が第二所定値以内となったときに暖房出力を段階的に低下させることを特徴とする請求項１または２記載の温風暖房装置。
【発明の詳細な説明】
【技術分野】
【０００１】
本発明は、温風を発生させて室内を暖房する温風暖房装置に関するものである。
【背景技術】
【０００２】
従来、灯油やガスなどの燃料を燃焼させて、その燃焼排ガスを温風として排出することで室内を暖房する温風暖房装置が広く使用されている。この種の暖房器具は、速暖性に優れているという特徴があるが、その一方で燃料を燃焼させるという性質上、酸素が消費されて二酸化炭素が増加するため室内の空気を定期的に換気する必要がある。
【０００３】
また、上述の暖房器具以外にも、エアコンやオイルヒーターまたは蓄熱装置なども室内を暖房する器具として使用されている。これらの暖房器具は、酸素を消費しないため換気が不要であるという利点があるが、燃焼によって発生する熱を直接暖房に使用するものに比べ速暖性に劣るため暖房運転を開始してもすぐに部屋を暖めることができない。特に寒冷地ではエアコンやオイルヒーターだけで部屋を暖房しようとしてもなかなか室温が上昇しないので、運転を開始してもしばらくは寒い状態が続いてしまうという問題がある。
【０００４】
このように、暖房器具にはその方式によって夫々特徴がある。そのため、異なる特徴をもつ暖房器具を組み合わせて使用すれば夫々の欠点を補って快適な室内環境を作ることができると考えられる。例えば、エアコンやオイルヒーターなどを使用する際には、速暖性に優れる暖房器具を併用して運転させることで暖房能力不足を補うことができるようになるため、とりわけ運転開始時の室温上昇の改善に大きな効果が期待される。ところが、個々の暖房器具はそれ単独での使用を前提として暖房能力の制御を行うようになっているため、併用して使用したとしても必ずしもお互いの利点を最大限活用することができるものではない。
【０００５】
そこで、この問題を解決するため、複数の暖房器具間で制御データを通信して双方の暖房能力を制御する方法や暖房システムが考えられている（特許文献１）。このように制御データを通信し暖房器具を連動制御することで、部屋の暖めすぎを防止して快適性と省エネを同時に実現することができるのである。
【先行技術文献】
【特許文献】
【０００６】
【特許文献１】特開２００４−２５７６５６号公報
【発明の概要】
【発明が解決しようとする課題】
【０００７】
しかしながら、上記特許文献で提案されているような方法では制御データを通信することが前提となっているため、通信手段を有する限られた器具間でしか暖房運転を連動制御することができないものであり、一般的な暖房器具はそのような通信手段を備えていないものがほとんどである。そのため、もともとエアコンを使用していた部屋で暖房能力や速暖性を補うためにファンヒーターを追加したとしても、ファンヒーターとエアコンとを連動させて制御することは不可能である。
【０００８】
本発明は、上記課題を解決するためのもので、暖房器具間でデータの通信を行うことなく、かつ複数の暖房器具を併用して運転した際に夫々の持つ利点を最大限活用できるような暖房運転を行うことのできる暖房装置を提供することを目的とする。
【課題を解決するための手段】
【０００９】
本発明は、運転モードを切り替える運転モード切替手段と、暖房出力を決定する出力決定手段と、前記出力決定手段が決定する暖房出力に基づき熱を発生させる熱発生手段と、室温を検知する室温検知手段を有し、前記運転モードには少なくとも通常運転モードと、他の暖房器具を併用して使用する際に選択する併用運転モードを備え、前記出力決定手段は前記通常運転モードでは室温と設定温度から室温を設定温度付近に維持するよう暖房出力を決定し、前記併用運転モードでは室温が設定温度もしくは設定温度より低い所定温度に到達すると暖房出力を低下させ、暖房出力が所定値に到達した後、前記熱発生手段を停止して暖房運転を停止することを特徴とする温風暖房装置である。
【００１０】
また、前記併用運転モードにおいて暖房運転を停止した際には、表示部に暖房運転が停止していることを表示するとともに、自動での暖房運転の再開を行わないことを特徴とする請求項１記載の温風暖房装置である。
【００１１】
また、前記出力決定手段は、前記併用運転モードにおいて室温が設定温度もしくは設定温度より低い所定温度に到達した際には暖房出力を段階的に低下させ、暖房出力の低下中に設定温度と室温の差が所定値以上となったときには、暖房出力を維持することを特徴とする請求項１または２記載の温風暖房装置である。
【００１２】
また、前記出力決定手段は、前記併用運転モードにおいて室温が設定温度もしくは設定温度より低い所定温度に到達した際には暖房出力を段階的に低下させ、暖房出力の低下中に設定温度と室温の差が第一所定値以上となったときには段階的に暖房出力を上昇させ、設定温度と室温の差が第二所定値以内となったときに暖房出力を段階的に低下させることを特徴とする請求項１または２記載の温風暖房装置である。
【発明の効果】
【００１３】
上述のように構成することにより、複数の暖房器具を併用して暖房をおこなう場合に、夫々の暖房器具の持つ利点をうまく利用して快適に暖房をおこなうことができ、またデータ通信を必要としないためどのような暖房器具間においてもその制御をおこなうことが可能となる。
【図面の簡単な説明】
【００１４】
【図１】温風暖房装置の一例であるファンヒーターの内部構成図である。
【図２】温風暖房装置の一例であるファンヒーターの要部構成図である。
【図３】実施例１の併用運転モードにおけるファンヒーターの動作を表すフローチャートである。
【図４】実施例１の併用運転モードにおける暖房出力と室温の時間変化を説明するタイムチャートである。
【図５】実施例２の併用運転モードにおけるファンヒーターの動作を表すフローチャートである
【図６】実施例３の併用運転モードにおけるファンヒーターの動作を表すフローチャートである
【発明を実施するための形態】
【００１５】
好適と考える本発明の実施形態を、本発明の作用効果を示して簡単に説明する。
【００１６】
本発明は、設定温度と室温から暖房出力を設定する通常運転モードのほかに、他の暖房器具と併用して使用する際に選択する併用運転モードを備えた温風暖房装置であって、併用運転モードが選択された際には、運転を開始後、室温が設定温度もしくは設定温度よりも低い所定の温度になると暖房出力を強制的に低下させ、さらに低下させた暖房出力が所定値に到達すると熱発生手段を停止して暖房運転を停止するようになっている。
【００１７】
本発明にかかる温風暖房装置は速暖性に優れるという特徴を有しており、この併用運転モードとは、速暖性に劣る暖房器具を併用して室内を暖房するときに選択することで、互いの持つ利点を最大限利用した暖房運転を行うものである。つまり、併用運転モードを選択すると運転開始時には速暖性を有する温風暖房装置の暖房能力によって室温をすばやく設定温度まで上昇させる。そして室温が設定温度付近に到達すると、温風暖房装置の暖房出力を低下させて他の暖房器具の暖房能力を活用し、室温を設定温度に維持するのである。加えて、この併用運転モードでは、温風暖房装置が検知する室温をもとに暖房出力を制御するようになっており、他の暖房器具とのデータ通信を必要としないため、どのような暖房器具とでも併用運転が可能となる。
【００１８】
また、併用運転モード実行時に暖房運転が停止した場合は、自動での運転を再開させないようになっている。つまり、併用運転モード実行中に温風暖房装置の運転が停止した状態となっているとき、室温の低下を検知して自動での運転を再開する装置であると、もし使用者が併用運転モードで運転停止していることを忘れて（そもそも運転を行っていないと思って）、部屋を離れるために他の暖房器具の運転を停止させた場合、温風暖房装置は室温の低下を検知して誰もいない部屋で運転が再開されてしまうという事態が起こりうる。しかし、本発明の暖房装置は一旦運転を停止すると、自動での運転再開をしないので、誰もいない部屋で運転が行われてしまうといった使用者が予期しない状況を回避することができる。
【００１９】
また、併用運転モードでは、室温が所定温度に達すると暖房出力を段階的に低下させるが、暖房出力を段階的に低下させているときに室温と設定温度の差が大きくなった場合には、暖房出力の低下を中断してそのときの暖房出力を維持する。つまり、換気等で室内の温度が一時的に低下したり、他の暖房器具の暖房能力が暖房出力の低下度合いに追いつかなくなったりしてしまうと、室温と設定温度の差が大きくなって使用者にとっては部屋が寒いと感じられるようになる。よって、このような場合には室温が設定温度にある程度近づくまで暖房出力を維持することで、室温が必要以上に下がり続けてしまうことを防止して使用者の快適性を損なうことなく暖房運転を行うことができる。
【００２０】
また、併用運転モードでは、室温が所定温度に達すると暖房出力を段階的に低下させるが、暖房出力を段階的に低下させているときに室温と設定温度の差が大きくなった場合には、暖房出力を段階的に上昇させる。つまり、換気等で室内の温度が一時的に低下したり、他の暖房器具の暖房能力が暖房出力の低下度合いに追いつかなくなったりしてしまうと、室温と設定温度の差が大きくなって使用者にとっては部屋が寒いと感じられるようになる。よって、室温と設定温度を比較しその差が第一所定値以上となった場合には、暖房出力を段階的に上昇させ、その後室温が上昇して設定温度との差が第二所定値以内になったときに、再び出力を低下させるようにする。これにより、使用者が寒いと感じてしまう前に室温の低下が抑えられるので、使用者の快適性を損なうことなく暖房運転を行うことができる。
【実施例１】
【００２１】
以下、本発明の温風暖房装置の一実施例として、灯油を燃料としたファンヒーターを例に挙げ図面を用いて説明する。
【００２２】
図１は温風暖房装置の一例であるファンヒーターの内部構成図であり、本体１内には、灯油を加熱気化する気化器２と、気化器２で発生した気化ガスを燃焼し熱を発生させる熱発生手段としてのバーナ３と、本体１に着脱自在な給油タンク４と、給油タンク４から供給された灯油を貯留する油受皿５と、油受皿５上に載置され気化器２へ灯油を汲み上げる電磁ポンプ６を備えている。
【００２３】
また、本体１の背面には本体１内部に空気を供給する送風機７が取付けられていて、バーナ３での燃焼により発生した燃焼排ガスは、送風機７から供給される空気と混合されて温風となり本体１の前面から排出されることで室内の暖房が行われる。
【００２４】
図２は、温風暖房装置の動作を制御する制御部の構成を示すブロック図である。マイコンからなる制御部８の入力側には、室温を検知する室温検知手段９、バーナ３での燃焼状態を検知する炎検知手段１０、使用者がボタンの操作を行う操作部１２が接続されており、操作部１２には運転の開始および停止を指示する運転ボタン１３、温度を設定する温度設定ボタン１４、運転モードの切替を行う運転モード切替手段としての運転切替ボタン１５などが設けられている。また、制御部８の出力側には、前出の気化器２、電磁ポンプ６、送風機７のほか、温度や時刻またはエラーといった情報を表示する表示部１１が設けられている。
【００２５】
そして制御部８は、室温検知手段９が検知した室温と温度設定ボタン１４の操作によって設定された設定温度との差から暖房出力（燃焼量）を決定してバーナ３での燃焼を制御する出力決定手段１６、送風機７の駆動を制御する送風機制御手段１７、表示部１１に表示する内容を制御する表示制御手段１８、所定の時間を計時するタイマ手段１９を備えている。
【００２６】
また、ファンヒーターには、室温と設定温度の差から暖房出力を決定し室温を設定温度に維持するよう暖房運転を行う「通常運転モード」と、室温と設定温度の差によって燃焼を断続的に行う「セーブ運転モード」と、他の暖房器具を併用して暖房する際に使用する「併用運転モード」が備えられており、運転切替ボタン１５を操作することにより複数の運転モードから所定の運転モードを選択して実行する。
【００２７】
ここで、前述の「併用運転モード」についてさらに詳細に説明する。室内の暖房を行う暖房器具には種々のものがあるが、その中でファンヒーターのように灯油やガスなどの燃料を燃焼させその燃焼排ガスを室温の上昇に用いる暖房器具は、速暖性に優れているという特徴を有している。一方で、エアコンやオイルヒーターまたは蓄熱装置など燃焼によって発生する熱を直接暖房に使用しない暖房器具も室内を暖房する手段として使用されており、これらの暖房器具は燃焼排ガスを発生させないため長時間連続して使用しても室内の酸素濃度を低下させる原因とはならないが、燃焼排ガスを室温の上昇に用いるものに比べて速暖性の面では劣るものである。そのため、春先や秋口など外気温がそれほど低くなければ、エアコン等の暖房だけでも部屋を暖めることはできるが、外気温がかなり低くなると室内の空気を暖めるまでに時間がかかり、暖房運転を開始してもなかなか室内が暖まらずに寒く感じることがある。そこで、エアコンやオイルヒーターなど速暖性に劣る暖房器具を使用する際には、ファンヒーターのように速暖性に優れる暖房器具を同時に運転させることで暖房能力の不足を補い、特に暖房開始時の快適性を向上させることが可能になる。
【００２８】
しかしながら、個々の暖房器具はそれ単独での使用を前提として暖房能力の制御を行うようになっているため、夫々に目標温度を設定して使用したとしても必ずしも個々の利点を最大限活用することができるわけではない。つまり、ファンヒーターとエアコンを同時に運転させたとすると、ファンヒーターの発する熱をエアコンが検知して部屋が暖まっていると判断してしまうため、エアコンは暖房出力を落として運転するので、室温の上昇・維持のためにエアコンの暖房能力はあまり活用されないことになる。これでは、使用者が意図するような併用運転を行っていることにはならない。
【００２９】
そこで、室内の暖房にファンヒーターと他の暖房器具を併用して運転させる場合にはこの併用運転モードを選択し、夫々の暖房器具の持つ利点を生かして室内の暖房を行うようにファンヒーターの運転を制御する。つまり、暖房運転の開始時には、ファンヒーターの持つ速暖性を生かして効率よく室温を上昇させ、すばやく室温を設定温度付近にまで上昇させる。そして室温が設定温度付近に到達したら、その後は他の暖房器具が暖房出力を落として運転してしまわないよう、ファンヒーターの暖房出力を段階的に低下させて運転を行う。さらに、ファンヒーターの暖房出力が所定の出力まで低下したときには、他の暖房器具のみで室内の暖房が可能であると判断できるためファンヒーターの運転を停止するようになっている。
【００３０】
次に、上述の構成におけるファンヒーターの動作について図３、４を用いて説明する。
【００３１】
操作部１２に設けられた運転ボタン１３の操作により運転開始が指示されると、気化器２のヒータへ通電が行われ気化器２の加熱が開始される。気化器２が加熱されて灯油を気化することのできる温度まで上昇すると、電磁ポンプ６が始動して油受皿５内の灯油を汲み上げ、灯油が気化器２に供給される。
【００３２】
気化器２に供給された灯油は、加熱気化されて気化ガスとなり、気化器２の先端に設けられた噴出口からバーナ３に向けて噴出される。バーナ３に向けて噴出された気化ガスは、噴出された際のエジェクタ効果により周囲の空気を一次空気として取り込むため、バーナ３内部で気化ガスと一次空気とが混合されて混合ガスとなる。この混合ガスはバーナ３から噴出して、図示しない点火手段により点火され燃焼が開始される。
【００３３】
燃焼開始に伴い、送風機７の駆動も開始される。送風機７の回転によって本体１内に取り込まれた空気は一部が二次空気として火炎に供給されて火炎が完全燃焼し、燃焼によって発生した排ガスは、本体１内に取り込まれた空気と混合されて温風となり本体１前面より排出される。このようにして暖房運転が開始されると、運転切替ボタン１５によって設定された運転モードに基づき出力決定手段１６は暖房出力を決定し、室内の暖房を行うようになっている。
【００３４】
＜通常運転モード＞
運転切替ボタン１５にて「通常運転モード」が選択されているときは、出力決定手段１６は室温Ｔｘと設定温度Ｔ０との差から暖房出力を決定し、この暖房出力に基づいて気化器２を加熱するヒータの温度、電磁ポンプ６が汲み上げる灯油の量が制御され、送風機７は送風機制御手段１７により回転数が制御されて、室温Ｔｘが設定温度Ｔ０を維持するようバーナ３で燃焼が行われる。なお、春先や秋口など比較的外気温が高いときは、暖房出力を最小にしても室温Ｔｘが設定温度Ｔ０を超える場合があるが、このときも燃焼の停止は行わず最小出力での燃焼を継続する。
【００３５】
＜セーブ運転モード＞
運転開始から室温Ｔｘが設定温度Ｔ０に到達するまでは通常運転モードと同様に、室温Ｔｘと設定温度Ｔ０の差から暖房出力を決定し、この暖房出力に基づいて気化器２を加熱するヒータの温度、電磁ポンプ６が汲み上げる灯油の量が制御され、送風機７は送風機制御手段１７により回転数が制御される。ここで、通常運転モードとの違いは、暖房出力を最小にしても室温Ｔｘが設定温度Ｔ０を超えるような場合には燃焼を停止させる点である。
【００３６】
具体的には、室温Ｔｘと設定温度Ｔ０を比較し、室温Ｔｘが設定温度Ｔ０より所定温度（例えば３℃）高くなったと判断されるとバーナ３での燃焼を停止し、表示部１１にはセーブ運転モードで燃焼待機状態であることを表示する。そして燃焼が停止することで徐々に室温が下がり、室温Ｔｘが設定温度Ｔ０よりも所定温度（例えば１℃）低くなったと判断されると燃焼を再開させる。つまり、室温Ｔｘと設定温度Ｔ０の差によって燃焼の停止と再開とが繰り返されるものであり、これにより室温Ｔｘが設定温度Ｔ０を上回る状態を抑えて灯油の消費を抑えた運転が可能となる。
【００３７】
＜併用運転モード＞
他の暖房器具を併用して運転させる際に選択するモードであり、ここでいう他の暖房器具とは、エアコンやオイルヒーターまたは蓄熱装置など速暖性の面でファンヒーターに比べて劣る暖房器具を指す。
【００３８】
図３は併用運転モードにおけるファンヒーターの動作を表したフローチャートである。まずファンヒーター、他の暖房器具とも設定温度をＴ０として運転を開始する。そして、運転切替ボタン１５を操作して「併用運転モード」を選択すると、ファンヒーターには目標温度Ｔ１（Ｔ１は任意の温度、ただしＴ１≦Ｔ０）が設定されるので（ステップ１）、運転開始から室温Ｔｘが目標温度Ｔ１付近に到達するまでは、ファンヒーターの速暖性を生かして室温Ｔｘを目標温度Ｔ１に近づけるよう出力決定手段１６で暖房出力を決定し、この暖房出力に基づいて気化器２を加熱するヒータの温度、電磁ポンプ６が汲み上げる灯油の量、送風機７の回転数を制御してバーナ３での燃焼が行われる。このとき、他の暖房器具も暖房運転を行っているが、室温の上昇には主としてファンヒーターの発する燃焼熱が用いられることになる。
【００３９】
そして室温Ｔｘと目標温度Ｔ１を比較し（ステップ２）、室温Ｔｘが目標温度Ｔ１に到達したと判断すると、出力決定手段１６は暖房出力を一段下げ（ステップ３）、この暖房出力にてバーナ３での燃焼が継続される。また、暖房出力を下げると同時にタイマ手段１９が計時を開始する（ステップ４）。室温Ｔｘが設定温度Ｔ０を維持するためには、ファンヒーターの暖房出力と他の暖房器具の暖房出力を合わせたトータルでの暖房出力が必要である。ところが、ファンヒーターの暖房出力を強制的に下げたことにより、必然的に他の暖房器具の暖房出力が必要となるため、他の暖房器具は暖房出力を落とすことなく運転し続けることになる。その後タイマ手段１９の計時する時間が所定時間となったかを判断し(ステップ５)、所定時間が経過したら次に暖房出力が所定値（例えば最小値）まで低下したかを判定し（ステップ６）、所定値になっていなければステップ３に戻り暖房出力をまた一段低下げてバーナ３で燃焼が継続される。
【００４０】
つまり、暖房出力を下げてから所定時間が経過したら、そのときの室温にかかわらず暖房出力を段階的に下げることを繰り返すため、ファンヒーターの暖房出力が下がることにより、他の暖房器具は暖房出力を落とすことなく運転を行うことになる。言い換えれば、ファンヒーターの暖房出力を段階的に制御することによって、暖房器具間で制御データを通信しなくとも使用者が意図するような暖房運転を行わせることができるのである。
【００４１】
また、ステップ６でファンヒーターの暖房出力が所定値（例えば最小値）に低下したことを検知したらファンヒーターの運転を停止し、他の暖房器具のみで暖房を行わせる。なお、ファンヒーターの暖房出力は室温にかかわらず強制的に低下させているので、運転を停止する前に、室温Ｔｘが設定温度Ｔ０に到達しているかを判定するようにしてもよい。
【００４２】
このように、併用運転モードを選択すると、暖房運転の開始時にはファンヒーターの持つ速暖性を生かして効率よく室温を上昇させ、室温が設定温度付近に到達したら、その後は他の暖房器具が暖房出力を落として運転してしまわないよう、ファンヒーターの暖房出力を段階的に低下させるようになっており、使用者が意図するような暖房運転を実行することで夫々の暖房器具の持つ利点をうまく利用して快適な室内環境を作ることができる。またデータ通信を必要としないため、併用運転の対象となる暖房器具が限定されず汎用性にも優れる。
【００４３】
図４は上述の併用運転モードにおけるファンヒーターの暖房出力と室温の時間変化を表したタイムチャートである。併用運転モードの開始から目標温度Ｔ１に到達するまでは通常運転モードと同様の暖房出力にて運転し、目標温度Ｔ１に到達したと判断されると（Ａ点）、暖房出力が段階的に低下していき、暖房出力が最小となった時点で運転が停止する（Ｂ点）。Ａ点からＢ点の間ではファンヒーターが暖房出力を落とすことにより、ファンヒーター主体の暖房から  他の暖房器具主体の暖房へと移行しており、室温は緩やかに上昇して設定温度Ｔ０に到達する。そして、Ｂ点でファンヒーターの運転が停止した後は、他の暖房器具のみの暖房により設定温度Ｔ０に室温が維持されるようになる。
【００４４】
また、この併用運転モードにおいて、Ｂ点で運転が停止した際には、表示部１１に運転停止中であることを表示し、以後は運転ボタン１３を操作しない限り運転は開始しない。つまりセーブ運転モードのように、室温を検知して自動での運転再開は行わない。運転が停止した状態となっているとき、室温の低下を検知して自動での運転を再開するようになっていると、もし使用者が併用運転モードで運転停止していることを忘れて、部屋を離れるために他の暖房器具の運転を停止させた場合、ファンヒーターは室温の低下を検知して誰もいない部屋で運転が再開されてしまうという事態が起こりうる。しかし、一旦運転を停止すると自動での運転再開をしないようにすれば、誰もいない部屋で運転が行われてしまうといった使用者が予期しない状況を回避することができる。
【００４５】
なお、本実施例では運転モードとして、「通常運転モード」「セーブ運転モード」「併用運転モード」の３つを備えたものとして説明したが、少なくとも「通常運転モード」と「併用運転モード」の２つを備えていればよく、その他の運転モードは本実施例に限定されるものではない。
【００４６】
また、ファンヒーターと他の暖房器具の設定温度をどちらも同じＴ０として運転を開始すると説明したが、設定温度は必ずしも同じである必要はなく、異なっていたとしても併用運転を行わせることは可能である。
【実施例２】
【００４７】
次に、本発明の実施例２について図５を用いて説明する。なお、本実施例のファンヒーターの構成は実施例１と同じであるため同じ符号を付し説明を省略する。
【００４８】
図５は実施例２の併用運転モードにおけるファンヒーターの動作を表したフローチャートである。まずファンヒーター、他の暖房器具とも設定温度をＴ０として運転を開始する。そして、運転切替ボタン１５を操作して「併用運転モード」を選択すると、ファンヒーターには目標温度Ｔ１（Ｔ１は任意の温度、ただしＴ１≦Ｔ０）が設定されるので（ステップ１）、運転開始から室温Ｔｘが目標温度Ｔ１付近に到達するまでは、ファンヒーターの速暖性を生かして室温Ｔｘを目標温度Ｔ１に近づけるよう出力決定手段１６で暖房出力を決定し、この暖房出力に基づいて気化器２を加熱するヒータの温度、電磁ポンプ６が汲み上げる灯油の量、送風機７の回転数を制御してバーナ３での燃焼が行われる。このとき、他の暖房器具も暖房運転をしているが、室温の上昇には主としてファンヒーターの発する燃焼熱が用いられることになる。
【００４９】
そして室温Ｔｘと目標温度Ｔ１を比較し（ステップ２）、室温Ｔｘが目標温度Ｔ１に到達したと判断すると、出力決定手段１６は暖房出力を一段下げ（ステップ３）、この暖房出力にてバーナ３での燃焼が継続される。ファンヒーターが暖房出力を下げたことにより、他の暖房器具の暖房出力が必要となるため、他の暖房器具は暖房出力を落とすことなく運転し続けることになる。また、暖房出力を下げると同時にタイマ手段１９が計時を開始するので(ステップ４)、タイマ手段１９の計時する時間が所定時間となったかを判断し(ステップ５)、所定時間が経過したら次に暖房出力が所定値（例えば最小値）まで低下したかを判定する（ステップ６）。所定値になっていなければ、次に室温Ｔｘと設定温度Ｔ０とを比較し（ステップ７）、室温Ｔｘと設定温度Ｔ０との差が所定値以内であればステップ３に戻り暖房出力をさらに一段低下させるが、所定値以上となっていたときには暖房出力を下げずにそのままの暖房出力を維持する(ステップ８)。
【００５０】
つまり、ステップ３で暖房出力を下げてから所定時間が経過したときに、室温Ｔｘと設定温度Ｔ０との差が所定値以内であったなら、現在の暖房出力で室温の維持ができていると判断して、暖房出力を段階的に下げることを繰り返す。ファンヒーターの暖房出力が下がることにより、他の暖房器具は暖房出力を落とすことなく運転を行うことになる。
【００５１】
一方、室温Ｔｘと設定温度Ｔ０との差が所定値以上であったなら、現在の暖房出力では室温を維持することができない、つまりファンヒーターの暖房出力の低下に他の暖房器具の暖房能力が追いついていない状態であると考えられる。この状態でファンヒーターの暖房出力を低下させてしまうとさらに室温が下がってしまうおそれがあり、使用者には寒いと感じられるようになってしまう。そのため、室温Ｔｘと設定温度Ｔ０との差が所定値以上となった場合には、室温と設定温度の差がある程度近づくまで暖房出力を維持する。これにより、室温が必要以上に下がり続けてしまうことを防止して使用者の快適性を損なうことなく暖房運転を行うことができる。なお、暖房出力を維持したときにはステップ４に戻るため、その時点からタイマ手段１９は計時を開始し、所定時間が経過した際には再び室温Ｔｘと設定温度Ｔ０とを比較する。そしてステップ７で室温Ｔｘと設定温度Ｔ０の差が所定値以内に近づいたと判断されれば、ステップ３に進み暖房出力を低下させる。
【００５２】
また、ステップ６でファンヒーターの暖房出力が所定値（例えば最小値）に低下したことを検知したらファンヒーターの運転を停止し、他の暖房器具のみで暖房を行わせる。なお、運転を停止する前に、室温Ｔｘが設定温度Ｔ０に到達しているかを判定するようにしてもよい。
【実施例３】
【００５３】
次に、本発明の実施例３について図６を用いて説明する。なお、本実施例のファンヒーターの構成は実施例１、２と同じであるため同じ符号を付し説明を省略する。
【００５４】
図６は実施例３の併用運転モードにおけるファンヒーターの動作を表したフローチャートである。まずファンヒーター、他の暖房器具とも設定温度をＴ０として運転を開始する。そして、運転切替ボタン１５を操作して「併用運転モード」を選択すると、ファンヒーターには目標温度Ｔ１（Ｔ１は任意の温度、ただしＴ１≦Ｔ０）が設定されるので（ステップ１）、運転開始から室温Ｔｘが目標温度Ｔ１付近に到達するまでは、ファンヒーターの速暖性を生かして室温Ｔｘを目標温度Ｔ１に近づけるよう出力決定手段１６で暖房出力を決定し、この暖房出力に基づいて気化器２を加熱するヒータの温度、電磁ポンプ６が汲み上げる灯油の量、送風機７の回転数を制御してバーナ３での燃焼が行われる。このとき、他の暖房器具も暖房運転をしているが、室温の上昇には主としてファンヒーターの発する燃焼熱が用いられることになる。
【００５５】
そして室温Ｔｘと目標温度Ｔ１を比較し（ステップ２）、室温Ｔｘが目標温度Ｔ１に到達したと判断すると、出力決定手段１６は暖房出力を一段下げ（ステップ３）、この暖房出力にてバーナ３での燃焼が継続される。ファンヒーターが暖房出力を下げたことにより、他の暖房器具の暖房出力が必要となるため、他の暖房器具は暖房出力を落とすことなく運転し続けることになる。また、暖房出力を下げると同時にタイマ手段１９が計時を開始するので(ステップ４)、タイマ手段１９の計時する時間が所定時間となったかを判断し(ステップ５)、所定時間が経過したら次に暖房出力が所定値（例えば最小値）まで低下したかを判定する（ステップ６）。所定値になっていなければ、次に室温Ｔｘと設定温度Ｔ０とを比較し（ステップ７）、室温Ｔｘと設定温度Ｔ０との差が第一所定値以内であればステップ３に戻り暖房出力をさらに一段低下させるが、第一所定値以上となっていたときには暖房出力を一段上昇させる(ステップ８)。
【００５６】
つまり、ステップ３で暖房出力を下げてから所定時間が経過したときに、室温Ｔｘと設定温度Ｔ０との差が第一所定値以内であったなら、現在の暖房出力で室温の維持ができていると判断して、暖房出力を段階的に下げることを繰り返す。ファンヒーターの暖房出力が下がることにより、他の暖房器具は暖房出力を落とすことなく運転を行うことになる。
【００５７】
一方、室温Ｔｘと設定温度Ｔ０との差が第一所定値以上であったなら、現在の暖房出力では室温を維持することができない、つまりファンヒーターの暖房出力の低下に他の暖房器具の暖房能力が追いついていない状態であると考えられる。この状態でファンヒーターの暖房出力を低下させてしまうとさらに室温が下がってしまうおそれがあり、使用者には寒いと感じられるようになってしまう。そのため、室温Ｔｘと設定温度Ｔ０との差が第一所定値以上となった場合には、暖房出力を一段上昇させる。これにより、使用者が寒いと感じてしまう前に室温の低下を防止して使用者の快適性を損なうことなく暖房運転を行うことができる。なお、暖房出力を上昇させた場合にはステップ４に戻るため、その時点からタイマ手段１９は計時を開始し、所定時間が経過した際には再び室温Ｔｘと設定温度Ｔ０とを比較する。そして室温Ｔｘと設定温度Ｔ０の差が第二所定値以内になっているかを判定し（ステップ７、ステップ９）、第二所定値以内となっていればステップ３に進み暖房出力を低下させる。
【００５８】
また、ステップ６でファンヒーターの暖房出力が所定値（例えば最小値）に低下したことを検知したらファンヒーターの運転を停止し、他の暖房器具のみで暖房を行わせる。なお、運転を停止する前に、室温Ｔｘが設定温度Ｔ０に到達しているかを判定するようにしてもよい。
【符号の説明】
【００５９】
３    バーナ（熱発生手段）
９    室温検知手段
１１  表示部
１５  運転切替ボタン（運転モード切替手段）
１６  出力決定手段
【図１】
0006259785.tif 000002
【図２】
0006259785.tif 000003
【図３】
0006259785.tif 000004
【図４】
0006259785.tif 000005
【図５】
0006259785.tif 000006
【図６】
0006259785.tif 000007